(57)【要約】      （修正有）【課題】信号の応答特性がよくなるようにして消費電力を減らすようにした比較器、ＤＣ−ＤＣコンバータ、及びこれを利用した有機発光表示装置を提供する。【解決手段】入力電圧Ｖｉｎ及び参照電圧Ｖｒｅｆとの差に対応して出力が決定される比較器であって、入力電圧及び参照電圧に対応する電圧を保存する電荷保存用キャパシタＣ１０と、フィードバック電圧を分配する第１キャパシタＣ１１と、電荷保存用キャパシタ及び第１キャパシタに保存された電圧に対応して信号を出力する少なくとも一つのインバータと、を含む増幅部と、増幅部から出力される電圧と、参照電圧が伝達される場合に増幅部から出力される電圧の伝達を受けてフィードバック電圧を生成し、当該フィードバック電圧を利用して入力電圧と参照電圧との差を調節する帰還部と、増幅部の出力の伝達を受けて出力する出力部と、を含む。【選択図】図５
2007174624.tif 000002
【特許請求の範囲】
【請求項１】
入力電圧及び参照電圧の伝達を受け、前記入力電圧と前記参照電圧との差に対応して出力が決定される比較器であって、
前記入力電圧及び参照電圧を伝達する入力部と、
前記伝達される入力電圧及び参照電圧に対応する電圧を保存する電荷保存用キャパシタと、フィードバック電圧の伝達を受けて前記電荷保存用キャパシタと前記フィードバック電圧を分配する第１キャパシタと、前記電荷保存用キャパシタ及び前記第１キャパシタに保存された電圧に対応して信号を出力する少なくとも一つのインバータと、を含む増幅部と、
前記入力電圧が伝達されるときに前記増幅部から出力される電圧と、前記参照電圧が伝達されるときに前記増幅部から出力される電圧の伝達を受けて前記フィードバック電圧を生成し、当該フィードバック電圧を利用して前記入力電圧と前記参照電圧との差を調節する帰還部と、
前記増幅部の出力の伝達を受けて出力する出力部と、を含むことを特徴とする比較器。
【請求項２】
前記入力部は、前記入力電圧が入力される第１入力端と前記電荷保存用キャパシタとの間に連結されて前記入力電圧をスイッチングする第１スイッチと、前記参照電圧が入力される第２入力端と前記電荷保存用キャパシタとの間に連結されて前記参照電圧をスイッチングする第２スイッチと、を含むことを特徴とする請求項１に記載の比較器。
【請求項３】
前記増幅部は、少なくとも２個のインバータを含み、
前記インバータ間に第２キャパシタが連結されて当該インバータ間の閾値電圧の差を保存することを特徴とする請求項１に記載の比較器。
【請求項４】
前記第１キャパシタは、前記インバータの入力端に前記電荷保存用キャパシタと並列に連結されることを特徴とする請求項１に記載の比較器。
【請求項５】
前記第１キャパシタは、前記電荷保存用キャパシタと前記インバータの入力端との間に当該電荷保存用キャパシタと直列に連結されることを特徴とする請求項１に記載の比較器。
【請求項６】
前記帰還部は、前記入力電圧が伝達される期間と前記参照電圧が伝達される期間を通じて、前記インバータから出力される電圧を当該インバータの出力端を通じて伝達することを特徴とする請求項１に記載の比較器。
【請求項７】
前記第１キャパシタと並列に連結され、前記インバータからの前記フィードバック電圧を保存する第３キャパシタをさらに含むことを特徴とする請求項１に記載の比較器。
【請求項８】
前記第２キャパシタと並列に連結される第４キャパシタをさらに含むことを特徴とする請求項３に記載の比較器。
【請求項９】
前記第１キャパシタと並列に連結され、前記インバータの前記フィードバック電圧を保存する第３キャパシタと、
前記第２キャパシタと並列に連結される第４キャパシタと、をさらに含むことを特徴とする請求項３に記載の比較器。
【請求項１０】
前記第３キャパシタは、前記インバータの入力端に連結されることを特徴とする請求項７に記載の比較器。
【請求項１１】
前記第３キャパシタは、前記インバータの入力端に連結されることを特徴とする請求項９に記載の比較器。
【請求項１２】
前記出力部は、前記入力電圧が前記参照電圧よりも大きい場合、ハイレベルの信号を出力し、前記入力電圧が前記参照電圧よりも小さい場合、ローレベルの信号を出力することを特徴とする請求項１に記載の比較器。
【請求項１３】
前記帰還部は、前記電荷保存用キャパシタに保存されている電荷を前記第１キャパシタに保存されている電荷によって調節することを特徴とする請求項１に記載の比較器。
【請求項１４】
前記増幅部は、前記電荷保存用キャパシタを通じて前記入力部と連結されており、
前記電荷保存用キャパシタは前記入力電圧と前記参照電圧を順次受けて、前記入力電圧と前記参照電圧との差に対応した電圧を前記増幅部に伝達することを特徴とする請求項１に記載の比較器。
【請求項１５】
所定の電圧が入力される電圧入力端子と、所定の信号が入力される信号入力端子と、前記信号入力端子を通じて入力される所定の信号を利用して前記所定の電圧を可変して出力する電圧出力端子と、を含むチャージポンプと、
入力電圧及び参照電圧の伝達を受け、前記入力電圧と前記参照電圧との差に対応して出力が決定される比較器と、を含み、
前記比較器は、
前記入力電圧及び参照電圧を伝達する入力部と、
前記伝達される入力電圧及び参照電圧に対応する電圧を保存する電荷保存用キャパシタと、フィードバック電圧の伝達を受けて前記電荷保存用キャパシタと前記フィードバック電圧を分配する第１キャパシタと、前記電荷保存用キャパシタ及び前記第１キャパシタに保存された電圧に対応して信号を出力する少なくとも一つのインバータと、を含む増幅部と、
前記入力電圧が伝達されるときに前記増幅部から出力される電圧と、前記参照電圧が伝達されるときに前記増幅部から出力される電圧の伝達を受けて前記フィードバック電圧を生成し、当該フィードバック電圧を利用して前記入力電圧と前記参照電圧との差を調節する帰還部と、
前記増幅部の出力の伝達を受けて出力する出力部と、を含むことを特徴とするＤＣ−ＤＣコンバータ。
【請求項１６】
前記入力部は、前記入力電圧が入力される第１入力端と前記電荷保存用キャパシタとの間に連結されて前記入力電圧をスイッチングする第１スイッチと、前記参照電圧が入力される第２入力端と前記電荷保存用キャパシタとの間に連結されて前記参照電圧をスイッチングする第２スイッチと、を含むことを特徴とする請求項１５に記載のＤＣ−ＤＣコンバータ。
【請求項１７】
前記増幅部は、少なくとも２個のインバータを含み、
前記インバータ間に第２キャパシタが連結されて当該インバータ間の閾値電圧の差を保存することを特徴とする請求項１５に記載のＤＣ−ＤＣコンバータ。
【請求項１８】
前記第１キャパシタは、前記インバータの入力端に前記電荷保存用キャパシタと並列に連結されることを特徴とする請求項１５に記載のＤＣ−ＤＣコンバータ。
【請求項１９】
前記第１キャパシタは、前記電荷保存用キャパシタと前記インバータの入力端との間に当該電荷保存用キャパシタと直列に連結されることを特徴とする請求項１５に記載のＤＣ−ＤＣコンバータ。
【請求項２０】
前記帰還部は、前記入力電圧が伝達される期間と前記参照電圧が伝達される期間を通じて、前記インバータから出力される電圧を当該インバータの出力端を通じて伝達することを特徴とする請求項１５に記載のＤＣ−ＤＣコンバータ。
【請求項２１】
前記第１キャパシタと並列に連結され、前記インバータからの前記フィードバック電圧を保存する第３キャパシタをさらに含むことを特徴とする請求項１５に記載のＤＣ−ＤＣコンバータ。
【請求項２２】
前記第２キャパシタと並列に連結される第４キャパシタをさらに含むことを特徴とする請求項１７に記載のＤＣ−ＤＣコンバータ。
【請求項２３】
前記第１キャパシタと並列に連結され、前記インバータの前記フィードバック電圧を保存する第３キャパシタと、
前記第２キャパシタと並列に連結される第４キャパシタと、をさらに含むことを特徴とする請求項１７に記載のＤＣ−ＤＣコンバータ。
【請求項２４】
前記第３キャパシタは、前記インバータの入力端に連結されることを特徴とする請求項２１に記載のＤＣ−ＤＣコンバータ。
【請求項２５】
前記第３キャパシタは、前記インバータの入力端に連結されることを特徴とする請求項２３に記載のＤＣ−ＤＣコンバータ。
【請求項２６】
前記出力部は、前記入力電圧が前記参照電圧よりも大きい場合、ハイレベルの信号を出力し、前記入力電圧が前記参照電圧よりも小さい場合、ローレベルの信号を出力することを特徴とする請求項１５に記載のＤＣ−ＤＣコンバータ。
【請求項２７】
前記帰還部は、前記電荷保存用キャパシタに保存されている電荷を前記第１キャパシタに保存されている電荷によって調節することを特徴とする請求項１５に記載のＤＣ−ＤＣコンバータ。
【請求項２８】
データ信号及び走査信号に対応して画像を表示する画素部と、
前記画素部に前記データ信号を伝達するデータ駆動部と、
前記画素部に前記走査信号を伝達する走査駆動部と、
前記画素部、前記データ駆動部、及び前記走査駆動部に電力を伝達するＤＣ−ＤＣコンバータと、を含む有機発光表示装置であって、
前記ＤＣ−ＤＣコンバータは比較器を含み、
前記比較器は、
入力電圧及び参照電圧を伝達する入力部と、
前記伝達される入力電圧及び参照電圧に対応する電圧を保存する電荷保存用キャパシタと、フィードバック電圧の伝達を受けて前記電荷保存用キャパシタと前記フィードバック電圧を分配する第１キャパシタと、前記電荷保存用キャパシタ及び前記第１キャパシタに保存された電圧に対応して信号を出力する少なくとも一つのインバータと、を含む増幅部と、
前記入力電圧が伝達されるときに前記増幅部から出力される電圧と、前記参照電圧が伝達されるときに前記増幅部から出力される電圧の伝達を受けて前記フィードバック電圧を生成し、前記フィードバック電圧を利用して前記入力電圧と前記参照電圧との差を調節する帰還部と、
前記増幅部の出力の伝達を受けて出力する出力部と、を含むことを特徴とする有機発光表示装置。
【発明の詳細な説明】
【技術分野】
【０００１】
本発明は、比較器、ＤＣ−ＤＣコンバータ、及びこれを利用した有機発光表示装置に関し、より詳細には、入力された電圧と参照電圧とを比較し、その比較結果によって電圧を出力する比較器、ＤＣ−ＤＣコンバータ、及びこれを利用した有機発光表示装置に関する。
【背景技術】
【０００２】
図１は、従来の技術による比較器を示す回路図である。
【０００３】
図１を参照して説明すれば、比較器は、入力部と第１ないし第３インバータとを含む。
【０００４】
入力部は、入力電圧Ｖｉｎの伝達をスイッチングする第１スイッチＳＷ１と参照電圧Ｖｒｅｆの伝達をスイッチングする第２スイッチＳＷ２とを具備する。
【０００５】
第１インバータは、ＰＭＯＳトランジスタである第１トランジスタＭ１とＮＭＯＳトランジスタである第２トランジスタＭ２とを具備し、第１電源Ｖｄｄが第１トランジスタＭ１のソースに連結されてハイレベルの電圧を出力し、第２トランジスタＭ１のソースが接地ＧＮＤに連結されてローレベルの電圧を出力する。そして、第１ノードＮ１を通じて第１キャパシタＣ１と第３スイッチＳＷ３とが連結される。第３スイッチＳＷ３の第１端は、第１キャパシタＣ１ならびに第１及び第２トランジスタＭ１，Ｍ２のゲートと連結されており、第３スイッチＳＷ３の第２端は、第２キャパシタＣ２ならびに第１及び第２トランジスタＭ１，Ｍ２のドレインと連結されている。
【０００６】
第２インバータは、ＰＭＯＳトランジスタである第３トランジスタＭ３とＮＭＯＳトランジスタである第４トランジスタＭ４とを具備し、第１電源Ｖｄｄが第３トランジスタＭ１のソースに連結されてハイレベルの電圧を出力し、第４トランジスタＭ４のソースが接地ＧＮＤに連結されてローレベルの電圧を出力する。そして、第２インバータは、第２キャパシタＣ２を通じて第１インバータと連結され、第２ノードＮ２を通じて第２キャパシタＣ２と、第４スイッチＳＷ４と、第３及び第４トランジスタＭ３，Ｍ４のゲートとが連結される。第４スイッチＳＷ４の第１端は、第２キャパシタＣ２ならびに第３及び第４トランジスタＭ３，Ｍ４のゲートと連結されており、第４スイッチＳＷ４の第２端は、第５スイッチＳＷ５ならびに第３及び第４トランジスタＭ３，Ｍ４のドレインと連結されている。第２インバータと第３インバータとは第５スイッチＳＷ５を介して連結されている。
【０００７】
第３インバータは、ＰＭＯＳトランジスタである第５トランジスタＭ５とＮＭＯＳトランジスタである第６トランジスタＭ６とを具備し、第１電源Ｖｄｄが第５トランジスタＭ５のソースに連結されてハイレベルの電圧を出力し、第６トランジスタＭ６のソースが接地ＧＮＤに連結されてローレベルの電圧を出力する。
【０００８】
図２は、図１に示された回路の入出力波形を示す波形図である。
【０００９】
図２を参照して説明すれば、比較部の入力端子に入力される入力電圧Ｖｉｎは、電圧レベルの変動があり、参照電圧Ｖｒｅｆと比較される。そして、第１ないし第５スイッチＳＷ１ないしＳＷ５は、第１制御信号Ｐ１と第２制御信号Ｐ２とによってスイッチング動作を遂行し、第１、第３、及び第４スイッチＳＷ１，ＳＷ３，ＳＷ４は、第１制御信号Ｐ１によって動作して第２及び第５スイッチＳＷ２，ＳＷ５は、第２制御信号Ｐ２によって動作する。
【００１０】
まず、第１制御信号Ｐ１と第２制御信号Ｐ２とによって第１、第３、及び第４スイッチＳＷ１，ＳＷ３，ＳＷ４がオン状態になって、第２及び第５スイッチＳＷ２，ＳＷ５がオフ状態になれば、第１キャパシタＣ１に入力電圧Ｖｉｎが伝達され、第２キャパシタＣ２には、第１インバータと第２インバータとの閾値電圧の差にあたる電圧が保存される。
【００１１】
そして、第１制御信号Ｐ１と第２制御信号Ｐ２によって第１、第３、及び第４スイッチＳＷ１，ＳＷ３，ＳＷ４がオフ状態になって、第２及び第５スイッチＳＷ２，ＳＷ５がオン状態になれば、第１キャパシタＣ１に参照電圧Ｖｒｅｆが伝達されて入力電圧Ｖｉｎと参照電圧Ｖｒｅｆとが比較される。
【００１２】
この時、入力電圧Ｖｉｎが参照電圧Ｖｒｅｆよりも大きい場合、第３インバータの出力端はハイレベルの電圧を出力し、入力電圧Ｖｉｎが参照電圧Ｖｒｅｆよりも小さい場合、第３インバータの出力端はローレベルの電圧を出力する。
【００１３】
上記のように構成された比較器は、第１キャパシタＣ１の参照電圧Ｖｒｅｆと入力電圧Ｖｉｎとの差に対応して出力電圧が決定されるが、参照電圧Ｖｒｅｆと入力電圧Ｖｉｎとの差が大きくない場合、参照電圧Ｖｒｅｆと入力電圧Ｖｉｎとの差が大きい場合よりも出力電圧がハイレベルまたはローレベルに変わるのに長い時間がかかるという問題点がある。
【００１４】
そして、上記のような問題点を解決するためには、上記のように構成された場合にキャパシタの容量が大きくなければならないという問題点があり、これによって電流の消耗量が大きくなって消費電力が大きくなるという問題点がある。
【００１５】
一方、上記一般的なＤＣ−ＤＣコンバータ及びこれを利用した有機発光表示装置に関する技術を記載した文献としては、下記の特許文献１および２などがある。
【特許文献１】米国特許第６８６１８７８号明細書
【特許文献２】米国特許第６３７３３２５号明細書
【発明の開示】
【発明が解決しようとする課題】
【００１６】
本発明は上記問題点を解決するために創出されたもので、本発明の目的は、信号の応答特性がよくなるようにして消費電力を減らすようにした比較器、ＤＣ−ＤＣコンバータ、及びこれを利用した有機発光表示装置を提供することである。
【課題を解決するための手段】
【００１７】
上記目的を果たすために本発明による第１側面は、入力電圧と参照電圧の伝達を受けて前記入力電圧と前記参照電圧との差に対応して出力が決定される比較器であって、前記入力電圧及び参照電圧を伝達する入力部と、前記入力電圧及び参照電圧に対応する電圧を保存する電荷保存用キャパシタと、フィードバック電圧の伝達を受けて前記電荷保存用キャパシタと前記フィードバック電圧を分配する第１キャパシタと、前記電荷保存用キャパシタ及び前記第１キャパシタに保存された電圧に対応して信号を出力する少なくとも一つのインバータと、を含む増幅部と、前記入力電圧が伝達されるときに前記増幅部から出力される電圧と、前記参照電圧が伝達されるときに前記増幅部から出力される電圧の伝達を受けて前記フィードバック電圧を生成し、当該フィードバック電圧を利用して前記入力電圧と前記参照電圧との差を調節する帰還部と、前記増幅部の出力の伝達を受けて出力する出力部と、を含む比較器を提供する。
【００１８】
本発明の第２側面は、所定の電圧が入力される電圧入力端子と、所定の信号が入力される信号入力端子と、前記信号入力端子を通じて入力される所定の信号を利用して前記所定の電圧を可変して出力する電圧出力端子と、を含むチャージポンプと、前記信号入力端子を通じて入力される所定の信号を調節する比較器を含み、前記比較器は、前記第１側面による比較器であるＤＣ−ＤＣコンバータを提供する。
【００１９】
本発明の第３側面は、データ信号及び走査信号に対応して画像を表示する画素部と、前記画素部に前記データ信号を伝達するデータ駆動部と、前記画素部に前記走査信号を伝達する走査駆動部と、前記画素部、前記データ駆動部、及び前記走査駆動部に電力を伝達するＤＣ−ＤＣコンバータと、を含み、前記ＤＣ−ＤＣコンバータは前記第２側面によるＤＣ−ＤＣコンバータである有機発光表示装置を提供する。
【発明の効果】
【００２０】
以上説明したように、本発明による比較器、ＤＣ−ＤＣコンバータ、及び有機発光表示装置によれば、インバータに入力される電圧に変化を加えて出力電圧が変わる程度をさらに大きくして応答速度をさらに速くすることができる。また、入出力部が動作しない場合、インバータ回路を遮断して電流の流れを遮断し、消費電力を減少させることができる。
【発明を実施するための最良の形態】
【００２１】
以下、本発明の実施の形態を添付した図面を参照して説明する。
【００２２】
図３は、本発明による有機発光表示装置の構造を示す構造図である。
【００２３】
図３を参照して説明すれば、有機発光表示装置は、画素部１００、データ駆動部２００、走査駆動部３００、及びＤＣ−ＤＣコンバータ４００を具備する。
【００２４】
画素部１００は、複数のデータ線Ｄ１ないしＤｍと複数の走査線Ｓ１ないしＳｎが交差してデータ線Ｄ１ないしＤｍと走査線Ｓ１ないしＳｎが交差する領域に画素１１０が形成され、画素１１０はデータ線Ｄ１ないしＤｍを通じて伝達されるデータ信号と走査線Ｓ１ないしＳｎを通じて伝達される走査信号とに対応して階調を表現して画像を表現する。
【００２５】
データ駆動部２００は、複数のデータ線Ｄ１ないしＤｍと連結されて複数のデータ線に並列でデータ信号を伝達して画素部１００の行方向に配列された画素列に同時にデータ信号が伝達されるようにする。
【００２６】
走査駆動部は、複数の走査線Ｓ１ないしＳｎと連結されて走査信号が伝達された画素１１０にデータ信号が伝達されるようにして特定の画素１１０にデータ信号が伝達されるようにする。
【００２７】
ＤＣ−ＤＣコンバータ４００は、外部から伝達される直流電源をそれぞれの負荷に適する直流電源に調節して各負荷に伝達するもので、ＤＣ−ＤＣコンバータ４００から生成された直流電源は、画素部１００、データ駆動部２００、及び走査駆動部３００などに伝達される。
【００２８】
図４は、図３に示された有機発光表示装置に採用されたＤＣ−ＤＣコンバータの構造図である。図４を参照して説明すれば、ＤＣ−ＤＣコンバータは、クロックスイッチ４３０、チャージポンプ４１０、クロックデバイダ４４０、及び比較部（比較器）４２０を含む。
【００２９】
クロックスイッチ４３０は、クロック発生部ＣＬＫからクロックの入力を受けて、インバータ４５０を通じて伝達される第１クロックＣＬＫ１及び第２クロックＣＬＫ２によってクロック発生部ＣＬＫから発生されるクロックを調節する。
【００３０】
チャージポンプ４１０は、第１クロックＣＬＫ１及び第２クロックＣＬＫ２に同期してコンデンサーに電荷を充電し、入力電圧よりも高い電圧または逆電圧を生成する手段であって、チャージポンプ４１０によって生成された電圧を出力して各駆動部に伝達する。チャージポンプ４１０は、所定の電圧（Ｖｏｌｔａｇｅ）が入力される電圧入力端子と、クロックスイッチ４３０を介して信号が入力される信号入力端子と、信号入力端子を通じて入力される信号を利用して所定の電圧を可変して出力する電圧出力端子と、を含む。なお、チャージポンプ４１０の回路及び動作は、当業者に知られたものであるため詳しい説明は省略する。
【００３１】
クロックデバイダ４４０は、クロック発生部ＣＬＫからのクロックＣＬＫ，ＣＬＫＢを比較部４２０に伝達して比較部４２０が動作されるようにする。
【００３２】
比較部４２０は、クロックＣＬＫ，ＣＬＫＢによって同期してチャージポンプ４１０の出力端子から入力電圧Ｖｉｎの伝達を受け、参照電圧源を通じて参照電圧ｒｅｆの伝達を受けて、参照電圧ｒｅｆと入力電圧Ｖｉｎとを比較し、インバータ４５０を通じて比較された信号をクロックスイッチ４３０に伝達し、クロックスイッチ４３０が第１クロックＣＬＫ１と第２クロックＣＬＫ２とによって動作するようにして、第１クロックＣＬＫ１及び第２クロックＣＬＫ２に対応してチャージポンプに出力電圧を調節させる。
【００３３】
図５は、図４に示されたＤＣ−ＤＣコンバータで採用された比較部の第１の実施の形態を示す回路図である。図５において、比較部４２０は、入力部と第１ないし第３インバータとを具備する。第１ないし第３インバータは、図１に示された比較器と同様であるので、その説明は省略する。
【００３４】
図５を参照して説明すれば、入力部では、入力電圧の入力を受ける第１入力端が第１スイッチＳＷ１１を通じて電荷保存用キャパシタＣ１０と連結され、参照電圧Ｖｒｅｆの入力を受ける第２入力端が第２スイッチＳＷ１２を通じて電荷保存用キャパシタＣ１０と連結される。電荷保存用キャパシタＣ１０は、第１インバータの第１トランジスタＭ１１及び第２トランジスタＭ１２のゲートと連結される。
【００３５】
そして、第１キャパシタＣ１１は、第１電極が第１インバータの第１トランジスタＭ１１及び第２トランジスタＭ１２のゲートに連結され、第２電極が第２インバータの出力端に連結される。また、第１インバータないし第３インバータは、図１に示されたように連結される。そして、第２インバータの出力端、すなわち、第３トランジスタＭ１３と第４トランジスタＭ１４のドレインは第１キャパシタＣ１１の第２電極に連結される。また、第１キャパシタＣ１１の第１電極は、第３スイッチＳＷ１３に連結される。
【００３６】
そして、比較器は、図２に示されたような信号によって動作し、比較器で第１スイッチＳＷ１１、第３スイッチＳＷ１３、及び第４スイッチＳＷ１４は、第１制御信号Ｐ１によってスイッチング動作を遂行し、第２スイッチＳＷ１２及び第５スイッチＳＷ１５は、第２制御信号Ｐ２によってスイッチング動作を遂行する。
【００３７】
次に、図５及び図２を参照して、比較器の動作を説明すれば、まず、第１制御信号Ｐ１によって第１スイッチＳＷ１１、第３スイッチＳＷ１３、及び第４スイッチＳＷ１４がオン状態になって、第２制御信号Ｐ２によって第２スイッチＳＷ１２及び第５スイッチＳＷ１５がオフ状態になる。よって、電荷保存用キャパシタＣ１０に入力電圧Ｖｉｎが伝達され、第２キャパシタＣ１２には、第１インバータと第２インバータとの閾値電圧の差にあたる電圧が保存される。
【００３８】
そして、第５スイッチＳＷ１５がオフ状態なので、第３インバータはフローティング（Ｆｌｏａｔｉｎｇ）状態になる。このとき、第２インバータの出力端を通じて第２インバータの出力電圧が第１キャパシタＣ１１に保存され、第１キャパシタＣ１１に保存された電圧は、第１インバータの第１トランジスタＭ１１及び第２トランジスタＭ１２のゲートに伝達され、第１インバータの出力電圧が第１キャパシタＣ１１に保存された電圧によって調整される。また、電荷保存用キャパシタＣ１０に保存されている電荷が、第１キャパシタＣ１１に保存されている電荷によって調節される。
【００３９】
そして、第２制御信号Ｐ２によって第２スイッチＳＷ１２及び第５スイッチＳＷ１５がオン状態になれば、電荷保存用キャパシタＣ１０に伝達される電圧が入力電圧Ｖｉｎから参照電圧Ｖｒｅｆに変わるようになり、第３スイッチＳＷ１３がフローティング状態になって第１インバータの第１トランジスタＭ１１及び第２トランジスタＭ１２のゲートに伝達される電圧が変わるようになる。電荷保存用キャパシタＣ１０は、入力電圧Ｖｉｎと参照電圧Ｖｒｅｆを順次受けて、入力電圧と参照電圧との差に対応した電圧を第１インバータに伝達する。
【００４０】
これに対応して、第２インバータの第３トランジスタＭ１３と第４トランジスタＭ１４のゲートに伝達される電圧が変わるようになり、第３トランジスタＭ１３及び第４トランジスタＭ１４のドレイン側の電圧が変わるようになる。
【００４１】
そして、第２制御信号Ｐ２によって第２インバータの出力信号が第１キャパシタＣ１１に伝達され、第２スイッチＳＷ１２がオン状態である期間で第５スイッチＳＷ１５がオン状態であって、参照信号Ｖｒｅｆが伝達される時間、フィードバック動作を遂行する。
【００４２】
このようなフィードバック動作によって、第３インバータを通じて出力される出力電圧の変動幅がさらに大きくなって信号の応答特性がよくなる。その結果、第３インバータは、入力電圧Ｖｉｎが参照電圧Ｖｒｅｆよりも大きい場合、ハイレベルの信号を出力し、入力電圧Ｖｉｎが参照電圧Ｖｒｅｆよりも小さい場合、ローレベルの電圧を出力する。なお、入力電圧Ｖｉｎが伝達される期間と参照電圧Ｖｒｅｆが伝達される期間を通じて、第２インバータから出力される電圧は当該インバータの出力端を通じて第１キャパシタＣ１１に伝達される。
【００４３】
図６は、図５に示された比較器の出力特性を示す特性曲線である。
【００４４】
図６を参照して説明すれば、Ｖｏｕｔはインバータの特性曲線を示し、Ｉｎｖｅｒｓｅはインバータの特性曲線を反転させた曲線を示す。
【００４５】
特性曲線は２．５Ｖの近辺で急激に変化が生じ、入力電圧と参照電圧の差が大きい二つの地点で安定化されて比較器の出力はハイまたはロー信号を出力させる。この時、フィードバック過程を通じて、第１キャパシタＣ１１に保存された電圧を通じて増幅部に入力される電圧を調節し、ハイ状態の信号とロー状態の信号になるようにして信号の応答特性がよくなる。
【００４６】
図７は、図４に示されたＤＣ−ＤＣコンバータで採用された比較器の第２の実施の形態を示す回路図である。図５に示された比較器と異なり、電荷保存用キャパシタＣ２０と第１キャパシタＣ２１とが直列に連結されている。より具体的には、電荷保存用キャパシタＣ２０の第１電極と第１キャパシタＣ２１の第２電極とが直列に接続されており、第１キャパシタＣ２１の第１電極が、第１インバータに接続されている。また、電荷保存用キャパシタＣ２０と第１キャパシタＣ２１との接点は、第２インバータの出力端と電気的に接続されている。このような構成によれば、電荷保存用キャパシタＣ２０と第１キャパシタＣ２１とが電圧を分配して第１インバータに伝達し、フィードバックされた電圧も同様に電荷保存用キャパシタＣ２０と第１キャパシタＣ２１とに分配されて第１インバータに伝達される。
【００４７】
図８は、図４に示されたＤＣ−ＤＣコンバータで採用された比較器の第３の実施の形態を示す回路図である。図５に示された比較器に一つの第３キャパシタＣ３３がさらに追加されて比較器の動作をより安定化させるようにするために、第１インバータの入力端に連結されている第１キャパシタＣ３１と並列に連結された第３キャパシタＣ３３を具備する。第３キャパシタＣ３３の第１電極は、第１キャパシタＣ３１の第２電極に接続されており、第３キャパシタＣ３３の第２電極は、接地されている。
【００４８】
第３キャパシタＣ３３は、第１制御信号Ｐ１によって比較器が動作される時点で第２インバータから出力される電圧を保存し、第２制御信号Ｐ２によって比較器が動作される時点で図６に示されたような安定点が移動することを防止して比較器から出力される信号の波形をさらに良くする。
【００４９】
図９は、図４に示されたＤＣ−ＤＣコンバータで採用された比較器の第４の実施の形態を示す回路図である。本実施の形態では、図５に示された比較器に一つの第４キャパシタＣ４４がさらに追加される。より具体的には、第４キャパシタＣ４４の第１電極が、第２キャパシタＣ４２の第２電極と第１インバータの出力端との接点に接続され、第４キャパシタＣ４４の第２電極は接地されている。このような構成にすると、比較器から出力される信号が安定化状態に到達される時点が変わらないようにすることで、第１インバータと第２インバータとの間に連結された第２キャパシタＣ４２と並列に連結された第４キャパシタＣ４４を具備するようにし、比較器から出力される信号の図６に示されたような安定点が移動しないようにして比較器の出力信号の波形がさらに安定する。
【００５０】
図１０は、図４に示されたＤＣ−ＤＣコンバータで採用された比較器の第５の実施の形態を示す回路図である。図１０に示された比較器は、第１インバータの入力端に第３キャパシタＣ５３を具備し、第１インバータと第２インバータとの間に第４キャパシタＣ５４をさらに具備して比較器の出力信号がさらに安定するようにする。より具体的には、第３キャパシタＣ５３の第１電極は、第１キャパシタＣ５１の第２電極に接続されており、第３キャパシタＣ５３の第２電極は、接地されている。また、第４キャパシタＣ５４の第１電極が、第２キャパシタＣ５２の第２電極と第１インバータの出力端との接点に接続され、第４キャパシタＣ５４の第２電極は接地されている。
【００５１】
図１１は、図４に示されたＤＣ−ＤＣコンバータで採用された比較器の第６の実施の形態を示す回路図である。図１１に示された比較器は、第３キャパシタＣ６３の位置を第１キャパシタＣ６１の第１電極と第２トランジスタＭ６２のゲートとの間に連結して、図８に示された比較器と同じ動作を遂行するようにする。
【００５２】
図１２は、図４に示されたＤＣ−ＤＣコンバータで採用された比較器の第７の実施の形態を示す回路図である。図１２に示された比較器は、図１１に示された比較器に、第１インバータと第２インバータの間に第４キャパシタＣ７４を連結したもので、図９に示された比較器と同じ動作を遂行する。より具体的には、第４キャパシタＣ７４の第１電極が、第２キャパシタＣ７２の第２電極と第１インバータの出力端との接点に接続され、第４キャパシタＣ７４の第２電極は接地されている。
【００５３】
以上添付した図面を参照して本発明について詳細に説明したが、これは例示的なものに過ぎず、当該技術分野における通常の知識を有する者であれば、多様な変形及び均等な他の実施形態が可能であるということを理解することができる。
【図面の簡単な説明】
【００５４】
【図１】従来の技術による比較器を示す回路図である。
【図２】図１に示された回路の入出力波形を示す波形図である。
【図３】本発明による有機発光表示装置の構造を示す構造図である。
【図４】図３に示された有機発光表示装置で採用されたＤＣ−ＤＣコンバータの構造図である。
【図５】図４に示されたＤＣ−ＤＣコンバータで採用された比較器の第１の実施の形態を示す回路図である。
【図６】図５に示された比較器の出力特性を示す特性曲線である。
【図７】図４に示されたＤＣ−ＤＣコンバータで採用された比較器の第２の実施の形態を示す回路図である。
【図８】図４に示されたＤＣ−ＤＣコンバータで採用された比較器の第３の実施の形態を示す回路図である。
【図９】図４に示されたＤＣ−ＤＣコンバータで採用された比較器の第４の実施の形態を示す回路図である。
【図１０】図４に示されたＤＣ−ＤＣコンバータで採用された比較器の第５の実施の形態を示す回路図である。
【図１１】図４に示されたＤＣ−ＤＣコンバータで採用された比較器の第６の実施の形態を示す回路図である。
【図１２】図４に示されたＤＣ−ＤＣコンバータで採用された比較器の第７の実施の形態を示す回路図である。
【符号の説明】
【００５５】
１００    画素部、
１１０    画素、
２００    データ駆動部、
３００    走査駆動部、
４００    ＤＣ−ＤＣコンバータ、
４１０    チャージポンプ、
４２０    比較部、
４３０    クロックスイッチ、
４４０    クロックデバイダ。
【図１】
2007174624.tif 000003
【図２】
2007174624.tif 000004
【図３】
2007174624.tif 000005
【図４】
2007174624.tif 000006
【図５】
2007174624.tif 000007
【図６】
2007174624.tif 000008
【図７】
2007174624.tif 000009
【図８】
2007174624.tif 000010
【図９】
2007174624.tif 000011
【図１０】
2007174624.tif 000012
【図１１】
2007174624.tif 000013
【図１２】
2007174624.tif 000014